(57)【要約】【課題】  トランスモジュレーション方式に基づいて地上デジタルテレビジョン放送を再送信する再送信装置において、再送信周波数の変更等が行われた場合、又は新たに再送信が開始した場合であっても、受信装置において、加入者の手間をかけずに受信設定を再設定、又は自動的に再設定するデジタル放送システムの再送信装置及び受信装置を提供する。【解決手段】  再送信装置１０１は、地上デジタルテレビジョン放送に含まれるスキャン告知用ＳＤＴＴを、再送信周波数の変更等を告知する内容に書き換えて、スキャン告知用ＳＤＴＴのバージョン番号を更新する書換部１１４を備える。受信装置１０４は、スキャン告知用ＳＤＴＴのバージョン番号が更新されている場合には、受信可能な再送信周波数を探査する探査部１４６を備える。【選択図】  図２
2005073238.tif 000002
【特許請求の範囲】
【請求項１】
第１の変調方式で変調されて伝送されたデジタル放送を第２の変調方式で再変調して再送信する再送信装置であって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換手段
を備えることを特徴とする再送信装置。
【請求項２】
第２の変調方式で再変調して再送信するデジタル放送の伝送周波数を再送信周波数として、
前記第２の告知情報は、再送信周波数の変更毎に更新されるバージョン番号を含み、
前記再送信装置は、さらに、
再送信周波数に係る第２の周波数情報を保持する保持手段を備え、
前記書換手段は、さらに、
（ａ）前記保持手段において第２の周波数情報が新たに保持された場合、
（ｂ）前記保持手段において保持されている第２の周波数情報が更新された場合、
（ｃ）前記保持手段において保持されている第２の周波数情報が削除された場合
のいずれかにおいて、前記バージョン番号を更新する
ことを特徴とする請求項１に記載の再送信装置。
【請求項３】
前記第１の告知情報は、前記第１の周波数情報の送出チャンネルに係る第１のチャンネル情報を含み、
前記第２の告知情報は、デジタル放送に前記第１の周波数情報を含めて送出しないことを示す第２のチャンネル情報を含み、
前記書換手段は、さらに、
前記第１のチャンネル情報を前記第２のチャンネル情報に書き換える
ことを特徴とする請求項１に記載の再送信装置。
【請求項４】
前記第１の告知情報は、前記第１の周波数情報の送出開始時刻に係る第１の時間情報を含み、
前記第２の告知情報は、再送信するデジタル放送の伝送周波数の更新作業が終了する時刻を示す第２の時間情報を含み、
前記書換手段は、さらに、
前記第１の時間情報を前記第２の時間情報に書き換える
ことを特徴とする請求項１に記載の再送信装置。
【請求項５】
前記書換手段は、さらに、
（ａ）第２の変調方式で再変調して再送信するデジタル放送の伝送周波数の更新作業が予定されていない場合、
（ｂ）第１の変調方式で変調されて伝送されたデジタル放送の全てが第２の変調方式で再変調されて再送信されていない場合
のいずれかにおいて、第１の変調方式で変調されて伝送されたデジタル放送に含まれる第１の告知情報を削除する
ことを特徴とする請求項１に記載の再送信装置。
【請求項６】
前記書換手段は、さらに、
第２の変調方式で再変調して再送信するデジタル放送のうち送出を停止するデジタル放送に割り当てられた識別子を前記第２の告知情報に含める
ことを特徴とする請求項１に記載の再送信装置。
【請求項７】
前記書換手段は、さらに、
前記再送信装置の設置個所に割り当てられた識別子を前記第２の告知情報に含める
ことを特徴とする請求項１に記載の再送信装置。
【請求項８】
前記第１の変調方式は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）であり、
前記第２の変調方式は、６４ＱＡＭ（６４  Ｑｕａｄｒａｔｕｒｅ  Ａｍｐｌｉｔｕｄｅ  Ｍｏｄｕｌａｔｉｏｎ）である
ことを特徴とする請求項１に記載の再送信装置。
【請求項９】
前記第１の周波数情報は、第１の変調方式で変調されて伝送されるデジタル放送の伝送周波数のリスト及び伝送周波数が変更された場合における変更情報が示された周波数リスト・変更情報であり、
前記第１の告知情報は、前記周波数リスト・変更情報の送出を告知する告知情報である
ことを特徴とする請求項１に記載の再送信装置。
【請求項１０】
所定の変調方式で再変調されて再送信されたデジタル放送を受信する受信装置であって、
所定の変調方式で変調されて再送信されるデジタル放送の伝送周波数の変更が告知される情報を告知情報として、
所定の変調方式で変調されて伝送されたデジタル放送に含まれる前記告知情報が更新されていれば、受信可能な伝送周波数を探査する探査手段
を備えることを特徴とする受信装置。
【請求項１１】
所定の変調方式で変調されて再送信されるデジタル放送の伝送周波数を再送信周波数として、
前記告知情報は、再送信周波数の変更毎に更新されるバージョン番号を含み、
前記受信装置は、さらに、
前記告知情報を保持する第１保持手段を備え、
前記探査手段は、さらに、
前記第１保持手段において保持されている告知情報に含まれるバージョン情報を参照して、
所定の変調方式で変調されて再送信されるデジタル放送に含まれる告知情報のバージョン番号が更新されていれば、受信可能な伝送周波数を探査する
ことを特徴とする請求項１０に記載の受信装置。
【請求項１２】
前記告知情報は、再送信されるデジタル放送の周波数の更新作業が終了する時刻を示す時間情報を含み、
前記探査手段は、さらに、前記時間情報で特定される時間以降に探査する
ことを特徴とする請求項１０に記載の受信装置。
【請求項１３】
前記受信装置は、さらに、
受信可能な伝送周波数とチャンネル番号とを対応付けた受信設定情報を保持する受信設定保持手段を備え、
前記探査手段は、さらに、
探査した結果、前記受信設定情報に登録されていない伝送周波数を発見した場合には、発見した伝送周波数に係る情報を前記受信設定情報に登録する
ことを特徴とする請求項１０に記載の受信装置。
【請求項１４】
前記受信装置は、さらに、
受信可能な伝送周波数とチャンネル番号とを対応付けた受信設定情報を保持する受信設定保持手段を備え、
前記探査手段は、さらに、
探査した結果、前記受信設定情報に登録されている伝送周波数を発見しなかった場合には、発見しなかった伝送周波数に係る情報を前記受信設定情報から削除する
ことを特徴とする請求項１０に記載の受信装置。
【請求項１５】
前記受信装置は、さらに、
受信可能な伝送周波数とチャンネル番号とを対応付けた受信設定情報を保持する受信設定保持手段を備え、
前記探査手段は、さらに、
所定の変調方式で再変調されて再送信されるデジタル放送のうち送出が停止されるデジタル放送に割り当てられた識別子が前記告知情報に含まれる場合には、前記識別子から特定されるデジタル放送を受信する伝送周波数に係る情報を前記受信設定情報から削除する
ことを特徴とする請求項１０に記載の受信装置。
【請求項１６】
前記告知情報は、前記デジタル放送を再送信する再送信装置の設置個所毎に割り当てられた識別子を含み、
前記探査手段は、識別子毎に前記告知情報を管理する
ことを特徴とする請求項１０に記載の受信装置。
【請求項１７】
前記所定の変調方式は、６４ＱＡＭである
ことを特徴とする請求項１０に記載の受信装置。
【請求項１８】
再送信されるデジタル放送の伝送周波数のリスト及び伝送周波数が変更された場合における変更情報を周波数リスト・変更情報とし、
前記告知情報は、デジタル放送に前記周波数リスト・変更情報を含めて送出しないことを示すチャネル情報を含む告知情報である
ことを特徴とする請求項１０に記載の受信装置。
【請求項１９】
第１の変調方式で変調されて伝送されたデジタル放送を第２の変調方式で再変調して再送信する再送信装置と、第２の変調方式で再変調されて再送信されたデジタル放送を受信する受信装置とを有するデジタル放送システムであって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換手段と、
第２の変調方式で変調されて伝送されたデジタル放送に含まれる前記第２の告知情報が更新されていれば、受信可能な伝送周波数を探査する探査手段と
を備えることを特徴とするデジタル放送システム。
【請求項２０】
第１の変調方式で変調されて伝送されるデジタル放送を第２の変調方式で再変調して再送信する装置を制御する再送信制御方法であって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換ステップ
を含むことを特徴とする再送信制御方法。
【請求項２１】
所定の変調方式で再変調されて再送信されたデジタル放送を受信する受信装置を制御する受信制御方法であって、
所定の変調方式で変調されて再送信されるデジタル放送の伝送周波数の変更が告知される情報を告知情報として、
所定の変調方式で変調されて伝送されたデジタル放送に含まれる前記告知情報が更新されていれば、受信可能な伝送周波数を探査する探査ステップ
を含むことを特徴とする受信制御方法。
【請求項２２】
第１の変調方式で変調されて伝送されたデジタル放送を第２の変調方式で再変調して再送信する再送信装置と、第２の変調方式で再変調されて再送信されたデジタル放送を受信する受信装置とを有するデジタル放送システムを制御するデジタル放送制御方法であって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換ステップと、
第２の変調方式で変調されて伝送されたデジタル放送に含まれる前記第２の告知情報が更新されていれば、受信可能な伝送周波数を探査する探査ステップと
を含むことを特徴とするデジタル放送制御方法。
【請求項２３】
第１の変調方式で変調されて伝送されるデジタル放送を第２の変調方式で再変調して再送信する組込装置を制御する再送信制御プログラムであって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換ステップ
を前記組込装置に実行させることを特徴とする再送信制御プログラム。
【請求項２４】
所定の変調方式で再変調されて再送信されたデジタル放送を受信する組込装置を制御する受信制御プログラムであって、
所定の変調方式で変調されて再送信されるデジタル放送の伝送周波数の変更が告知される情報を告知情報として、
所定の変調方式で変調されて伝送されたデジタル放送に含まれる前記告知情報が更新されていれば、受信可能な伝送周波数を探査する探査ステップ
を前記組込装置に実行させることを特徴とする受信制御プログラム。
【発明の詳細な説明】
【技術分野】
【０００１】
本発明は、地上デジタルテレビジョン放送等をデジタル有線テレビジョン放送等として再送信する再送信装置、及びデジタル有線テレビジョン放送等として再送信された地上デジタルテレビジョン放送等を受信する受信装置に関し、特に、複数のネットワークから構成されるデジタル放送の再送信周波数の変更等を通知する再送信装置、及び通知を受けて受信設定を再設定する受信装置に関する。
【背景技術】
【０００２】
従来、ケーブルテレビジョン放送のような有線放送においては、提供チャンネル数、加入者確保等の観点から、地上波放送、ＢＳ放送、ＣＳ放送等のような無線放送を一括受信して再送信することが行われている。さらに、近年、例えば、ＣＳデジタル放送、ＢＳデジタル放送等の様に、これら無線放送をデジタル化してダウンロードサービス等を付加したデジタル放送が開始されている。これに伴い、これらデジタル放送に合わせて有線放送もデジタル化されてきている。そして、地上デジタル放送についても、デジタル化されたままで再送信されることが望まれている。
【０００３】
ここで、デジタル放送の再送信について説明する。デジタル放送の再送信の方式としては、次の二つがある。一つは、パススルー方式であり、もう一つは、トランスモジュレーション方式である。
【０００４】
パススルー方式は、受信した放送波の変調方式を変えずに伝送する方式である。この方式によって再送信されたデジタル放送は、加入者宅に設置された受信装置、例えば、デジタルチューナ、デジタルチューナ内蔵テレビ等（以下、デジタルチューナ等と呼称する。）を介して視聴される。変調方式を変更しないため、直接受信する場合と同様のデジタル放送に対応した受信装置を用いることができる。
【０００５】
トランスモジュレーション方式は、各デジタル放送の変調方式を有線放送に適した変調方式に変換して再送信する方式である。この方式によって再送信されたデジタル放送は、加入者宅に設置された受信装置、例えば、有線放送用のセット・トップ・ボックス（以下、ＳＴＢと呼称する。）等を介して視聴される。変調方式を変換するため有線放送用のＳＴＢが必要となるが、自主放送や他のデジタル放送の再送信なども含めて同一の変調方式で伝送されるため、１台の受信装置でデジタル有線テレビジョン放送局から提供される様々なサービスを受信することができる。
【０００６】
そして、地上デジタル放送の再送信においては、パススルー方式とトランスモジュレーション方式との両方が実用化される。パススルー方式は、直接受信する場合と同様のデジタルチューナ等を接続することで視聴でき、有線放送用のＳＴＢ等は必要としない。このため、主に地上デジタル放送の再送信のみを行うデジタル有線テレビジョン放送局に適した方式とされる。一方、トランスモジュレーション方式は、１台のＳＴＢ等で、ＢＳデジタル放送、独自放送等、デジタル有線テレビジョン放送局から提供される様々なサービスを受信することができる。このため、主に自主放送を行うデジタル有線テレビジョン放送局に適した方式とされる。なお、自主放送を行うデジタル有線テレビジョン放送局であっても、帯域に余裕がある場合には、地上デジタル放送のみを視聴する加入者の利便性を考慮してトランスモジュレーション方式とパススルー方式との両方式で運用される場合もある。
【０００７】
さて、地上デジタル放送は、例えば、ＢＳデジタル放送等のような全国同一の放送を受信することができるデジタル放送とは異なり、受信地域により受信できるチャンネル数が異なる。ＭＦＮ（Ｍｕｌｔｉ  Ｆｒｅｑｕｅｎｃｙ  Ｎｅｔｗｏｒｋ）と呼ばれるネットワーク構成を用いる場合には、同じデジタル放送であっても、受信地域によって異なる周波数によって伝送される場合がある。また、地上デジタル放送開始当初は、アナログ放送と並行して放送されるため、放送エリアを限定して開始される。そして、アナログ放送の周波数を別の周波数に変更し、デジタル放送に使用されるチャンネルを空ける作業（以下、アナアナ変換と呼称する。）、アナログ放送への影響を見極めながら、徐々に放送エリア、開局数等を増やしていく作業等が行われる。さらに、アナログ放送終了時には、最適なネットワーク構成を目的として、デジタル放送に使用されている周波数を変更する作業（以下、リパッキングと呼称する。）が行われる予定である。
【０００８】
すなわち、地上デジタル放送では、視聴者の居住する地域によって、受信できる周波数が異なる。さらに、受信できるチャンネル数、サービス数等が放送開始から徐々に増え、その都度、受信設定を変更する必要がある。そして、リパッキング時に受信周波数を一斉に変更する必要があるため、視聴者の手間をかけずに、受信設定、周波数変更等を自動的に追随する方法が必須とされる。
【０００９】
これに対して、デジタル放送を用いて受信装置のソフトウェア更新を行うエンジニアリングダウンロードサービスを利用して受信設定、周波数変更等を自動的に追随する方法が、次の［文献１］、［文献２］に規定されている。
【００１０】
［文献１］ＡＲＩＢ  ＴＲ−Ｂ１４−１  「地上デジタルテレビジョン放送運用規定技術資料」第一分冊
［文献２］ＡＲＩＢ  ＴＲ−Ｂ１４−２  「地上デジタルテレビジョン放送運用規定技術資料」第二分冊
［文献３］ＡＲＩＢ  ＴＲ−Ｂ１４−３  「地上デジタルテレビジョン放送運用規定技術資料」第三分冊
具体的には、地上デジタル放送では、地域の放送局から送信される周波数のリスト及び変更情報（以下、周波数リスト・変更情報と呼称する。）をダウンロードコンテンツとして送出する。また、全デジタル放送にダウンロードの告知情報（以下、ＳＤＴＴと呼称する。）を送出する。
【００１１】
ここで、ＳＤＴＴには、ダウンロードコンテンツのバージョン番号、送出チャンネル、送出時間帯が設定されている。さらに、周波数リスト・変更情報のＳＤＴＴの場合には、リパッキングが行われている作業期間に関する情報も設定されている。そして、（ａ）各地域で新たな放送局が放送を開始する場合、（ｂ）既存の放送局が周波数を変更する場合、（ｃ）放送出力を変更して受信エリアが拡大する場合などにおいて、その情報を元に周波数リスト・変更情報のコンテンツが更新され、ＳＤＴＴに記載されているバージョン番号が更新される。
【００１２】
これに伴い、地上デジタル放送を直接受信する受信装置およびパススルー方式により再送信された地上デジタル放送を受信する受信装置（例えば、デジタルチューナ等。）は、ＳＤＴＴに記載されているバージョン番号が更新された場合には、周波数リスト・変更情報をダウンロードし、ダウンロードした周波数リスト・変更情報を不揮発性メモリに保存する。また、受信設定されている周波数で受信できなかった場合には、不揮発性メモリに保存されている周波数リスト・変更情報を参照し、受信設定されている周波数が変更されている可能性があれば、新たな周波数で受信を試みる。その結果、新たな周波数で正常に受信できた場合には、受信設定されている周波数を自動更新、又は視聴者に再設定を告知する。さらに、新たな放送局が放送を開始する周波数と作業期間が周波数リスト・変更情報に設定されている場合には、待機状態時などに周波数リスト・更新情報に設定されている周波数で受信を試みる。周波数リスト・更新情報に記載されている周波数で正常に受信できた場合には、受信設定に新たな放送局を自動的に追加、又は視聴者に再設定を告知する。
【００１３】
以上のような方法により、地上デジタル放送を直接受信する受信装置（例えば、デジタルチューナ等。）は、視聴者の手間をかけずに受信設定の再設定もしくは自動更新を実現する。
【００１４】
なお、パススルー方式には、放送局から送信される周波数と同一の周波数で再送信するのではなく、周波数を変換して再送信する周波数変換パススルー方式というのがある。周波数変換パススルー方式の場合には、周波数リスト・変更情報に設定されている周波数で受信することが出来ない。これに伴い、上記の方法では受信設定の自動更新等を行うことができないため、次の（ａ）、（ｂ）の場合には、周波数リスト・変更情報に記載の周波数を用いずに、受信可能な周波数を総なめでスキャンし、新たな周波数を取得する方法が規定されている（例えば、非特許文献１を参照。）。
【００１５】
（ａ）周波数リスト・変更情報を参照して周波数が変更されている可能性がある場合。
（ｂ）受信設定されていない周波数がある場合。
【非特許文献１】ＡＲＩＢ  ＴＲ−Ｂ１４−１  「地上デジタルテレビジョン放送運用規定技術資料」第一分冊（１．４版）、第１−７頁，第２−４１頁、  社団法人  電波産業会、  平成１５年６月５日改定
【発明の開示】
【発明が解決しようとする課題】
【００１６】
しかしながら、前記方法において、デジタル有線テレビジョン放送局が再送信周波数を変更した場合には、周波数リスト・変更情報のコンテンツおよびＳＤＴＴ記載のバージョン番号が更新されないため、デジタル有線テレビジョン放送用の受信装置（以下、ＳＴＢとも呼称する。）は周波数リスト・変更情報を参照しても周波数が変更された可能性があると判定することができない。そのため、デジタル有線テレビジョン放送局で再送信周波数を変更した場合には、ＳＴＢは、受信設定の自動更新や再設定の告知を行うことができないという問題がある。
【００１７】
また、新たな放送局が放送を開始する場合には、トランスモジュレーション方式ではデジタル有線テレビジョン放送局に追加の再送信装置が必要になるため、周波数リスト・変更情報に記載されている放送開始の作業期間中に再送信を開始できるとは限らない。このため、ＳＴＢは、受信設定に新たな放送局を自動的に追加もしくは再設定の告知を行うことができないという問題がある。
【００１８】
本発明は、前記問題に鑑みてなされたものであり、トランスモジュレーション方式に基づいて地上デジタルテレビジョン放送を再送信する再送信装置において、再送信周波数の変更等が行われた場合、又は新たに再送信が開始した場合であっても、受信装置において、加入者の手間をかけずに受信設定を再設定、又は自動的に再設定するデジタル放送システムの再送信装置及び受信装置を提供することを目的とする。
【課題を解決するための手段】
【００１９】
＜解決手段１＞
前記目的を達成するために、本発明に係る再送信装置は、第１の変調方式で変調されて伝送されたデジタル放送を第２の変調方式で再変調して再送信する再送信装置であって、第１の変調方式で変調されて伝送されるデジタル放送の伝送周波数に係る第１の周波数情報の送出を告知する情報を第１の告知情報とし、第２の変調方式で再変調して再送信するデジタル放送の伝送周波数の変更を告知する情報を第２の告知情報として、第１の変調方式で変調されて伝送されたデジタル放送に含まれる前記第１の告知情報を前記第２の告知情報に書き換える書換手段を備えることとする。
【００２０】
＜解決手段２＞
さらに、第２の変調方式で再変調して再送信するデジタル放送の伝送周波数を再送信周波数として、前記第２の告知情報は、再送信周波数の変更毎に更新されるバージョン番号を含み、前記再送信装置は、さらに、再送信周波数に係る第２の周波数情報を保持する保持手段を備え、前記書換手段は、さらに、（ａ）前記保持手段において第２の周波数情報が新たに保持された場合、（ｂ）前記保持手段において保持されている第２の周波数情報が更新された場合、（ｃ）前記保持手段において保持されている第２の周波数情報が削除された場合のいずれかにおいて、前記バージョン番号を更新することとしてもよい。
【００２１】
＜解決手段３＞
または、前記第１の告知情報は、前記第１の周波数情報の送出チャンネルに係る第１のチャンネル情報を含み、前記第２の告知情報は、デジタル放送に前記第１の周波数情報を含めて送出しないことを示す第２のチャンネル情報を含み、前記書換手段は、さらに、前記第１のチャンネル情報を前記第２のチャンネル情報に書き換えることとしてもよい。
【００２２】
＜解決手段４＞
または、前記第１の告知情報は、前記第１の周波数情報の送出開始時刻に係る第１の時間情報を含み、前記第２の告知情報は、再送信するデジタル放送の伝送周波数の更新作業が終了する時刻を示す第２の時間情報を含み、前記書換手段は、さらに、前記第１の時間情報を前記第２の時間情報に書き換えることとしてもよい。
【００２３】
＜解決手段５＞
または、前記書換手段は、さらに、（ａ）第２の変調方式で再変調して再送信するデジタル放送の伝送周波数の更新作業が予定されていない場合、（ｂ）第１の変調方式で変調されて伝送されたデジタル放送の全てが第２の変調方式で再変調されて再送信されていない場合のいずれかにおいて、第１の変調方式で変調されて伝送されたデジタル放送に含まれる第１の告知情報を削除することとしてもよい。
【００２４】
＜解決手段６＞
または、前記書換手段は、さらに、第２の変調方式で再変調して再送信するデジタル放送のうち送出を停止するデジタル放送に割り当てられた識別子を前記第２の告知情報に含めることとしてもよい。
【００２５】
＜解決手段７＞
または、前記書換手段は、さらに、前記再送信装置の設置個所に割り当てられた識別子を前記第２の告知情報に含めることとしてもよい。
【００２６】
＜解決手段８＞
または、前記第１の変調方式は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）であり、前記第２の変調方式は、６４ＱＡＭ（６４  Ｑｕａｄｒａｔｕｒｅ  Ａｍｐｌｉｔｕｄｅ  Ｍｏｄｕｌａｔｉｏｎ）であることとしてもよい。
【００２７】
＜解決手段９＞
または、前記第１の周波数情報は、第１の変調方式で変調されて伝送されるデジタル放送の伝送周波数のリスト及び伝送周波数が変更された場合における変更情報が示された周波数リスト・変更情報であり、前記第１の告知情報は、前記周波数リスト・変更情報の送出を告知する告知情報であることとしてもよい。
【００２８】
＜解決手段１０＞
前記目的を達成するために、本発明に係る受信装置は、所定の変調方式で再変調されて再送信されたデジタル放送を受信する受信装置であって、所定の変調方式で変調されて再送信されるデジタル放送の伝送周波数の変更が告知される情報を告知情報として、所定の変調方式で変調されて伝送されたデジタル放送に含まれる前記告知情報が更新されていれば、受信可能な伝送周波数を探査する探査手段を備えることとする。
【００２９】
＜解決手段１１＞
さらに、所定の変調方式で変調されて再送信されるデジタル放送の伝送周波数を再送信周波数として、前記告知情報は、再送信周波数の変更毎に更新されるバージョン番号を含み、前記受信装置は、さらに、前記告知情報を保持する第１保持手段を備え、前記探査手段は、さらに、前記第１保持手段において保持されている告知情報に含まれるバージョン情報を参照して、所定の変調方式で変調されて再送信されるデジタル放送に含まれる告知情報のバージョン番号が更新されていれば、受信可能な伝送周波数を探査することとしてもよい。
【００３０】
＜解決手段１２＞
または、前記告知情報は、再送信されるデジタル放送の周波数の更新作業が終了する時刻を示す時間情報を含み、前記探査手段は、さらに、前記時間情報で特定される時間以降に探査することとしてもよい。
【００３１】
＜解決手段１３＞
または、前記受信装置は、さらに、受信可能な伝送周波数とチャンネル番号とを対応付けた受信設定情報を保持する受信設定保持手段を備え、前記探査手段は、さらに、探査した結果、前記受信設定情報に登録されていない伝送周波数を発見した場合には、発見した伝送周波数に係る情報を前記受信設定情報に登録することとしてもよい。
【００３２】
＜解決手段１４＞
または、前記受信装置は、さらに、受信可能な伝送周波数とチャンネル番号とを対応付けた受信設定情報を保持する受信設定保持手段を備え、前記探査手段は、さらに、探査した結果、前記受信設定情報に登録されている伝送周波数を発見しなかった場合には、発見しなかった伝送周波数に係る情報を前記受信設定情報から削除することとしてもよい。
【００３３】
＜解決手段１５＞
または、前記受信装置は、さらに、受信可能な伝送周波数とチャンネル番号とを対応付けた受信設定情報を保持する受信設定保持手段を備え、前記探査手段は、さらに、所定の変調方式で再変調されて再送信されるデジタル放送のうち送出が停止されるデジタル放送に割り当てられた識別子が前記告知情報に含まれる場合には、前記識別子から特定されるデジタル放送を受信する伝送周波数に係る情報を前記受信設定情報から削除することとしてもよい。
【００３４】
＜解決手段１６＞
または、前記告知情報は、前記デジタル放送を再送信する再送信装置の設置個所毎に割り当てられた識別子を含み、前記探査手段は、識別子毎に前記告知情報を管理することとしてもよい。
【００３５】
＜解決手段１７＞
または、前記所定の変調方式は、６４ＱＡＭであることとしてもよい。
【００３６】
＜解決手段１８＞
または、再送信されるデジタル放送の伝送周波数のリスト及び伝送周波数が変更された場合における変更情報を周波数リスト・変更情報とし、前記告知情報は、デジタル放送に前記周波数リスト・変更情報を含めて送出しないことを示すチャネル情報を含む告知情報であることとしてもよい。
【００３７】
なお、本発明は、再送信装置として実現することができるだけではなく、再送信装置を制御する方法、その方法をコンピュータ、組込装置等の一般的なハードウェアシステムに実行させるプログラム、及びそのプログラムを記録した記録媒体として実現することができるのは言うまでもない。
【００３８】
なお、本発明は、受信装置として実現することができるだけではなく、受信装置を制御する方法、その方法をコンピュータ、組込装置等の一般的なハードウェアシステムに実行させるプログラム、及びそのプログラムを記録した記録媒体として実現することができるのは言うまでもない。
【００３９】
なお、本発明は、再送信装置と受信装置とを有するデジタル放送システムとしても実現することができるのは言うまでもない。また、デジタル放送システムとして実現することができるだけではなく、デジタル放送システムを制御する方法、その方法を複数のコンピュータ、組込装置等の一般的なハードウェアシステムに実行させるプログラム、及びそのプログラムを記録した記録媒体として実現することができるのは言うまでもない。
【発明の効果】
【００４０】
本発明に係る再送信装置、受信装置、及びこれらを有するデジタル放送システムによれば、デジタル放送がトランスモジュレーション方式で再送信装置から再送信される場合において、（ａ）再送信するにあたっての伝送周波数がデジタル有線テレビジョン放送局側で変更された場合、（ｂ）新たに開局された放送局から再送信が開始された場合でも、加入者の手間をかけずに、受信装置の受信設定を再設定、自動更新することができる。
【発明を実施するための最良の形態】
【００４１】
（実施の形態１）
以下、本発明の実施の形態１について、図面を参照しながら説明する。
＜概要＞
本発明の実施の形態１におけるデジタル有線テレビジョン放送システム（以下、ＣＡＴＶシステムと呼称する。）は、地上デジタルテレビジョン放送用の周波数リスト・変更情報のダウンロード告知情報を本発明のスキャン告知情報に書き換える。
【００４２】
なお、スキャン告知情報は、周波数リスト・変更情報や他のダウンロードコンテンツのダウンロード告知情報と同様に、セクション形式で伝送されるＳＤＴＴ（Ｓｏｆｔｗａｒｅ  Ｄｏｗｎｌｏａｄ  Ｔｒｉｇｇｅｒ  Ｔａｂｌｅ）で送出する。
【００４３】
＜ＣＡＴＶシステム＞
図１は、本発明の実施の形態１におけるＣＡＴＶシステムの構成を示す概要図である。
同図に示されるように、ＣＡＴＶシステム１００は、地上デジタルテレビジョン放送毎に対応する再送信装置１０１から再送信された地上デジタルテレビジョン放送を、混合部１０２において混合し、ＣＡＴＶ網１０３を介して、加入者宅に設置された受信装置１０４に送出する。
【００４４】
具体的には、ＣＡＴＶシステム１００は、地上デジタルテレビジョン放送をトランスモジュレーション方式に基づいて再送信する。変調方式を変更するとともに伝送周波数も変更となるため、デジタル有線テレビジョン放送の事情に合わせて、再送信装置１０１は、地上デジタルテレビジョン放送用の周波数リスト・変更情報のダウンロード告知用ＳＤＴＴをスキャン告知用ＳＤＴＴに書き換えて受信装置１０４に送出する。
【００４５】
これに伴い、受信装置１０４は、デジタル有線テレビジョン放送用のスキャン告知用ＳＤＴＴを受信すると、次の（ａ）〜（ｆ）のいずれかの場合とみなして、受信周波数の探査（以下、スキャンと呼称する。）を実施することができる。
【００４６】
（ａ）地上デジタルテレビジョン放送が新たに再送信される。
（ｂ）地上デジタルテレビジョン放送が新たに再送信された。
（ｃ）地上デジタルテレビジョン放送の再送信周波数が変更されて再送信される。
（ｄ）地上デジタルテレビジョン放送の再送信周波数が変更されて再送信された。
（ｅ）地上デジタルテレビジョン放送が再送信されなくなる。
（ｆ）地上デジタルテレビジョン放送が再送信されなくなった。
【００４７】
「再送信周波数」とは、デジタル有線テレビジョン放送として地上デジタルテレビジョン放送を再送信装置１０１から受信装置１０４に再送信する際の伝送周波数をいう。
「受信周波数」とは、受信装置１０４において受信可能なデジタル有線テレビジョン放送の伝送周波数をいう。
【００４８】
＜再送信装置＞
図２は、実施の形態１における再送信装置の構成を示す機能ブロック図である。
同図に示されるように、再送信装置１０１は、地上デジタルテレビジョン放送１波を６４ＱＡＭデジタル変調して再送信する。そして、再送信周波数の変更等を行う場合には、デジタル有線テレビジョン放送用のスキャン告知用ＳＤＴＴを送出する。
【００４９】
ここでは、再送信装置１０１は、一例として、スキャン告知用ＳＤＴＴ保持部１１１、計時部１１２、復調部１１３、書換部１１４、多重化部１１５、変調部１１６、及び再送信周波数情報保持部１１７から構成される。
【００５０】
スキャン告知用ＳＤＴＴ保持部１１１は、デジタル有線テレビジョン放送用として送出されたスキャン告知用ＳＤＴＴと同じものを保持する。
計時部１１２は、時間を計り通知する。
【００５１】
復調部１１３は、アンテナを介して受信した地上デジタルテレビジョン放送をＴＳに復調する。
書換部１１４は、地上デジタルテレビジョン放送用の周波数リスト・変更情報のダウンロード告知用ＳＤＴＴをスキャン告知用ＳＤＴＴに書き換える。
【００５２】
なお、地上デジタルテレビジョン放送は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）によって変調され、デジタル有線テレビジョン放送は、６４ＱＡＭ（６４  Ｑｕａｄｒａｔｕｒｅ  Ａｍｐｌｉｔｕｄｅ  Ｍｏｄｕｌａｔｉｏｎ）によって変調されている。例えば、地上デジタルテレビジョン放送に含まれる周波数リスト・変更情報は、周波数リスト・変更情報に設定されている伝送周波数がＯＦＤＭによるもののため、６４ＱＡＭでデジタル放送を受信する受信装置１０４にとっては、無効な情報である。
【００５３】
これに対して、書換部１１４は、地上デジタルテレビジョン放送に含まれて送出される周波数リスト・変更情報の送出チャンネルを、デジタル有線テレビジョン放送には周波数リスト・変更情報を含めて送出しないことを示す値に書き換える。また、周波数リスト・変更情報の送出開始時刻を、デジタル有線テレビジョン放送の再送信周波数の更新作業が終了する時刻に書き換える。
【００５４】
また、書換部１１４は、次の（ａ）、（ｂ）の予定がある場合には、デジタル有線テレビジョン放送用として送出されるスキャン告知用ＳＤＴＴに含まれるバージョン番号を更新する。
【００５５】
（ａ）複数の再送信装置のいずれかにおいて再送信周波数の変更等
（ｂ）新たに開局した放送局から送信された地上デジタルテレビジョン放送の再送信
多重化部１１５は、地上デジタルテレビジョン放送の伝送速度とデジタル有線テレビジョン放送の伝送速度との速度差を埋める分のＮＵＬＬパケットをＴＳに含めて多重化する。また、必要に応じて、複数ＴＳ伝送方式に基づいて多重化する。さらに、地上デジタルテレビジョン放送の信号に含まれるネットワーク情報テーブル（以下、ＮＩＴと呼称する。）をデジタル有線テレビジョン放送用に書き換える。
【００５６】
変調部１１６は、多重化手段１１３において多重化された信号を、６４ＱＡＭ（６４  Ｑｕａｄｒａｔｕｒｅ  Ａｍｐｌｉｔｕｄｅ  Ｍｏｄｕｌａｔｉｏｎ）に基づいた信号に変調する。
【００５７】
再送信周波数情報保持部１１７は、デジタル有線テレビジョン放送局から再送信される周波数の情報を保持する。
なお、図には示されてはいないが、再送信周波数情報保持部１１７については、再送信装置１０１を制御する制御プログラムによって、再送信装置１０１に備わる不揮発性メモリに割り当てられた記憶領域である。
【００５８】
なお、再送信装置１０１は、再送信周波数の変更等に伴う作業を行う日時以前にスキャン告知用ＳＤＴＴを送出するのが望ましい。また、スキャン告知用ＳＤＴＴは、再送信周波数の変更等を行う期間のみ送出とし、変更作業が終了したら送出を停止するとしてもよいが、変更日時までにスキャン告知用ＳＤＴＴを受信していないＳＴＢを救済するために、スキャンの日時を過ぎても継続してスキャン告知用ＳＤＴＴを送出するとしてもよい。ただし、この場合においては、次回の再送信周波数の変更に伴う作業が発生した時点で、新たな日時を設定したスキャン告知用ＳＤＴＴに切り替えて送出する。また、再送信装置１０１は、スキャン告知用ＳＤＴＴに指定した日時までに、変更作業が完了しなかった場合には、新たな作業日時を設定し、バージョン番号を更新したスキャン告知用ＳＤＴＴを送出するとしてもよい。
【００５９】
＜受信装置＞
図３は、実施の形態１における受信装置の構成を示す機能ブロック図である。
受信装置１０４は、再送信装置１０１からＣＡＴＶ網１０３を介して再送信された地上デジタルテレビジョン放送、すなわち、トランスモジュレーション信号を受信するデジタル有線テレビジョン放送専用のセット・トップ・ボックス（以下、ＳＴＢと呼称する。）である。そして、受信したトランスモジュレーション信号をＴＳに復調して再生等を行う。
【００６０】
ここでは、受信装置１０４は、一例として、受信設定保持部１４１、受信部１４２、復調部１４３、再生部１４４、検出部１４５、探査部１４６、スキャン告知用ＳＤＴＴ保持部１４７、及び計時部１４８から構成される。
【００６１】
受信設定保持部１４１は、受信チャンネルとして設定された受信周波数に係る情報（以下、受信設定情報と呼称する。）を保持する。
受信部１４２は、ＣＡＴＶ網１０３を介して再送信された地上デジタルテレビジョン放送のうち、受信設定保持部１４１に保持されている受信設定によって特定される地上デジタルテレビジョン放送を受信する。
【００６２】
復調部１４３は、受信部１４２において受信されたトランスモジュレーション信号をＴＳに復調する。
再生部１４４は、復調部１４３において復調されたＴＳを再生する。例えば、ＴＳデコーダ等であって、ＴＳを、映像・音声・データ等に分解して、分解した映像・音声・データをテレビ画面に表示する。
【００６３】
検出部１４５は、復調部１４３において復調されたＴＳ信号に含まれるＳＤＴＴを検出する。なお、検出したＳＤＴＴがスキャン告知用ＳＤＴＴの場合には、検出したＳＤＴＴを探査部１４６に渡す。
【００６４】
探査部１４６は、検出部からスキャン告知用ＳＤＴＴを受け取り、受け取ったスキャン告知用ＳＤＴＴをスキャン告知用ＳＤＴＴ保持部１４７に格納する。そして、次の（ａ）、（ｂ）の場合には、スキャン告知用ＳＤＴＴに含まれるスキャン開始可能時間（ｓｔａｒｔ＿ｔｉｍｅ）以降に受信周波数を探査する。探査した結果、新たに受信周波数を発見した場合には、新たなチャンネルとして、受信設定保持部１４１に保持されている受信設定を、自動的に再設定するか、又は加入者に告知後、加入者の指示に応じて再設定する。
【００６５】
（ａ）新たに、スキャン告知用ＳＤＴＴが検出部１４５において検出された場合
（ｂ）スキャン告知用ＳＤＴＴに含まれるバージョン番号（ｖｅｒｓｉｏｎ＿ｎｕｍｂｅｒ）が更新された場合
スキャン告知用ＳＤＴＴ保持部１４７は、デジタル有線テレビジョン放送用として送出されたスキャン告知用ＳＤＴＴを保持する。
【００６６】
計時部１４８は、時間を計り通知する。
なお、図には示されてはいないが、受信設定保持部１４１、スキャン告知用ＳＤＴＴ保持部１４７のそれぞれについては、受信装置１０４を制御する制御プログラムによって、受信装置１０４に備わる不揮発性メモリにそれぞれ割り当てられた記憶領域である。
【００６７】
＜スキャン告知用ＳＤＴＴの各フィールドの説明＞
図４は、ＳＤＴＴのデータ構造に係るテーブルを示す図である。
同図に示されるように、テーブル１５０は、カラム１５１〜１５３から構成される。
【００６８】
カラム１５１は、ＳＤＴＴのデータ構造が示される。
カラム１５２は、ＳＤＴＴのデータフィールドに割り当てられたビット数が示される。
カラム１５３は、ＳＤＴＴのデータフィールドに係る備考が示される。
【００６９】
また、ＳＤＴＴは、フィールド１５１ａ〜１５１ｗから構成される。
フィールド１５１ａ（ｔａｂｌｅ＿ｉｄ）は、”０ｘＣ３”が設定される８ビットのデータフィールドである。なお、”０ｘＣ３”は、ＳＤＴＴを示す識別子である。
【００７０】
フィールド１５１ｂ（ｓｅｃｔｉｏｎ＿ｓｙｎｔａｘ＿ｉｎｄｉｃａｔｏｒ）は、’１’が設定される１ビットのデータフィールドである。
フィールド１５１ｃ（ｓｅｃｔｉｏｎ＿ｌｅｎｇｈｔ）は、ＳＤＴＴのセクション長が設定される１２ビットのデータフィールドである。なお、セクション長は４０９３以下である。
【００７１】
フィールド１５１ｄ（ｔａｂｌｅ＿ｉｄ＿ｅｘｔ）は、ｍｏｄｅｌ＿ｉｄとｍａｋｅｒ＿ｉｄの値”０ｘＦＦＦ８”が設定される１６ビットのデータフィールドである。なお、上位８ビットにｍａｋｅｒ＿ｉｄ、下位８ビットにｍｏｄｅｌ＿ｉｄが設定される。周波数リスト・変更情報のダウンロード告知用およびスキャン告知用の場合には、”０ｘＦＦＦ８”が設定される。
【００７２】
フィールド１５１ｅ（ｖｅｒｓｉｏｎ＿ｎｕｍｂｅｒ）は、バージョン番号が設定される５ビットのデータフィールドである。なお、サブテーブル内の情報に変化があった場合には、当該フィールドに１が加算される。なお、その値が３１になった場合には、０に戻る。
【００７３】
フィールド１５１ｆ（ｃｕｒｒｅｎｔ＿ｎｅｘｔ＿ｉｎｄｉｃａｔｏｒ）は、’１’が設定される１ビットのデータフィールドである。なお、ＭＰＥＧ規格に基づいて使用される。
【００７４】
フィールド１５１ｇ（ｓｅｃｔｉｏｎ＿ｎｕｍｂｅｒ）は、セクションの番号が設定される８ビットのデータフィールドである。
フィールド１５１ｈ（ｌａｓｔ＿ｓｅｃｔｉｏｎ＿ｎｕｍｂｅｒ）は、セクションが属するサブテーブルの最後のセクション番号が設定される８ビットのデータフィールドである。
【００７５】
フィールド１５１ｉ（ｔｒａｎｓｐｏｒｔ＿ｓｔｒｅａｍ＿ｉｄ）は、ダウンロードコンテンツの送出チャンネルを指定する組の一つが設定される１６ビットのデータフィールドである。
【００７６】
フィールド１５１ｊ（ｏｒｉｇｉｎａｌ＿ｎｅｔｗｏｒｋ＿ｉｄ）は、ダウンロードの送出チャンネルを指定する組の一つが設定される１６ビットのデータフィールドである。
フィールド１５１ｋ（ｓｅｒｖｉｃｅ＿ｉｄ）は、ダウンロードの送出チャンネルを指定する組の一つが設定される１６ビットのデータフィールドである。
【００７７】
フィールド１５１ｌ（ｎｕｍ＿ｏｆ＿ｃｏｎｔｅｎｔｓ）は、ダウンロードコンテンツの数が示される８ビットのデータフィールドである。スキャン告知用ＳＤＴＴの場合は、固定値’１’が設定される。
【００７８】
フィールド１５１ｍ（ｇｒｏｕｐ）は、ｇｒｏｕｐ＿ｉｄが設定される４ビットのデータフィールドである。
フィールド１５１ｎ（ｔａｒｇｅｔ＿ｖｅｒｓｉｏｎ）は、アップデート対象となるコンテンツのバージョン番号が設定される１２ビットのデータフィールドである。スキャン告知用ＳＤＴＴの場合においては、”０ｘＦＦ”が設定される。
【００７９】
フィールド１５１ｏ（ｎｅｗ＿ｖｅｒｓｉｏｎ）は、ダウンロードコンテンツのバージョン番号が設定される１２ビットのデータフィールドである。スキャン告知用ＳＤＴＴの場合においては、”０ｘＦＦＦ”が設定される。
【００８０】
フィールド１５１ｐ（ｄｏｗｎｌｏａｄ＿ｌｅｖｅｌ）は、ダウンロードレベルが示される２ビットのデータフィールドである。スキャン告知用ＳＤＴＴの場合は、”０１”が設定され強制ダウンロードとされる。
【００８１】
フィールド１５１ｑ（ｖｅｒｓｉｏｎ＿ｉｎｄｉｃａｔｏｒ）は、バージョン指示が設定される２ビットのデータフィールドである。スキャン告知用ＳＤＴＴの場合は、”００”が設定されバージョン指定は無効とされる。
【００８２】
フィールド１５１ｒ（ｃｏｎｔｅｎｔ＿ｄｅｓｃｒｉｐｔｉｏｎ＿ｌｅｎｇｔｈ）は、スケジュールループと記述子ループの合計のバイト長が設定される１２ビットのデータフィールドである。
【００８３】
フィールド１５１ｓ（ｓｃｈｅｄｕｌｅ＿ｄｅｓｃｒｉｐｔｉｏｎ＿ｌｅｎｇｔｈ）は、スケジュールループのバイト長が設定される１２ビットのデータフィールドである。スキャン告知用ＳＤＴＴの場合においては、”０ｘ００８”が設定されスケジュールループ数は１で使用される。
【００８４】
フィールド１５１ｔ（ｓｃｈｅｄｕｌｅ＿ｔｉｍｅ−ｓｈｉｆｔ＿ｉｎｆｏｒｍａｔｉｏｎ）は、スケジュール時間シフト情報が示される４ビットのデータフィールドである。スキャン告知用ＳＤＴＴの場合においては、”０ｘＦ”（単一ｓｅｒｖｉｃｅ＿ｉｄ）が設定される。
【００８５】
フィールド１５１ｕ（ｓｔａｒｔ＿ｔｉｍｅ）は、ダウンロードの配信開始時間を日本標準時（ＪＳＴ）と修正ユリウス日（ＭＪＤ）で設定される４０ビットのデータフィールドである。スキャン告知用ＳＤＴＴでは、ＳＴＢスキャンの開始可能時間として使用される。
【００８６】
フィールド１５１ｖ（ｄｕｒａｔｉｏｎ）は、ダウンロードコンテンツの送出継続時間が設定される、２４ビットのデータフィールドである。スキャン告知用ＳＤＴＴの場合においては、”０ｘＦＦＦＦＦＦ”が設定される。
【００８７】
エリア１５１ｗ（ｄｅｓｃｒｉｐｔｏｒｓ（））は、ダウンロードコンテンツ記述子が格納されるエリアである。
なお、ダウンロードコンテンツの送出チャンネルは、ダウンロード告知情報１５０のフィールド１５１ｊ（ｏｒｉｇｉｎａｌ＿ｎｅｔｗｏｒｋ＿ｉｄ）、フィールド１５１ｉ（ｔｒａｎｓｐｏｒｔ＿ｓｔｒｅａｍ＿ｉｄ）、及びフィールド１５１ｋ（ｓｅｒｖｉｃｅ＿ｉｄ）の組で指定される。一例として、放送で送出されないことを示す値を、”ｏｒｉｇｉｎａｌ＿ｎｅｔｗｏｒｋ＿ｉｄ＝０ｘ７ＦＦＦ”、”ｔｒａｎｓｐｏｒｔ＿ｓｔｒｅａｍ＿ｉｄ＝０ｘＦＦＦＦ”、及び”ｓｅｒｖｉｃｅ＿ｉｄ＝０ｘＦＦＦＦ”とする。
【００８８】
＜スキャン告知用のダウンロードコンテンツ記述子の各フィールドの説明＞
図５は、ダウンロードコンテンツ記述子のデータ構造に係るテーブルを示す図である。
同図に示されるように、テーブル１６０は、カラム１６１〜１６３から構成される。
【００８９】
カラム１６１は、ダウンロードコンテンツ記述子のデータ構造が示される。
カラム１６２は、ダウンロードコンテンツ記述子のフィールドに割り当てられたビット数が示される。
【００９０】
カラム１６３は、ダウンロードコンテンツ記述子のフィールドに係る備考が示される。
また、ダウンロードコンテンツ記述子は、フィールド１６１ａ〜１６１ｗから構成される。
【００９１】
フィールド１６１ａ（ｄｅｓｃｒｉｐｔｏｒ＿ｔａｇ）は、”０ｘｃ９”が設定される８ビットのデータフィールドである。
フィールド１６１ｂ（ｄｅｓｃｒｉｐｔｏｒ＿ｌｅｎｇｔｈ）は、ダウンロードコンテンツ記述子の記述子長が設定される８ビットのデータフィールドである。
【００９２】
フィールド１６１ｃ（ｒｅｂｏｏｔ）は、’０’（継続動作）が設定される１ビットのデータフィールドである。
フィールド１６１ｄ（ａｄｄ＿ｏｎ）は、’０’（書き換え）が設定される１ビットのデータフィールドである。
【００９３】
フィールド１６１ｅ（ｃｏｍｐａｔｉｂｉｌｉｔｙ＿ｆｌａｇ）は、’０’が設定される１ビットのデータフィールドである。
フィールド１６１ｆ（ｍｏｄｕｌｅ＿ｉｎｆｏ＿ｆｌａｇ）は、’０’が設定される１ビットのデータフィールドである。
【００９４】
フィールド１６１ｇ（ｔｅｘｔ＿ｉｎｆｏ＿ｆｌａｇ）は、’０’が設定される１ビットのデータフィールドである。
フィールド１６１ｈ（ｃｏｍｐｏｎｅｎｔ＿ｓｉｚｅ）は、”０ｘ００００００００”が設定される３２ビットのデータフィールドである。
【００９５】
フィールド１６１ｉ（ｄｏｗｎｌｏａｄ＿ｉｄ）は、”０ｘＦＦＦＦＦＦＦＦ”が設定される３２ビットのデータフィールドである。
フィールド１６１ｊ（ｔｉｍｅ＿ｏｕｔ＿ｖａｌｕｅ＿ＤＩＩ）は、”０ｘＦＦＦＦＦＦＦＦ”が設定される３２ビットのデータフィールドである。
【００９６】
フィールド１６１ｋ（ｌｅａｋ＿ｒａｔｅ）は、”０ｘ３ＦＦＦＦＦ”が設定される２２ビットのデータフィールドである。
フィールド１６１ｌ（ｃｏｍｐｏｎｅｎｔ＿ｔａｇ）は、”０ｘＦＦ”が設定される８ビットのデータフィールドである。
【００９７】
エリア１６１ｍ（ｃｏｍｐａｔｉｂｉｌｉｔｙＤｅｓｃｒｉｐｔｏｒ（））は、使用されないエリアである。
フィールド１６１ｎ（ｎｕｍ＿ｏｆ＿ｍｏｄｕｌｅｓ）は、使用されない１６ビットのデータフィールドである。
【００９８】
フィールド１６１ｏ（ｍｏｄｕｌｅ＿ｉｄ）は、使用されない１６ビットのデータフィールドである。
フィールド１６１ｐ（ｍｏｄｕｌｅ＿ｓｉｚｅ）は、使用されない３２ビットのデータフィールドである。
【００９９】
フィールド１６１ｑ（ｍｏｄｕｌｅ＿ｉｎｆｏ＿ｌｅｎｇｔｈ）は、使用されない８ビットのデータフィールドである。
フィールド１６１ｒ（ｍｏｄｕｌｅ＿ｉｎｆｏ＿ｂｙｔｅ）は、使用されない８ビットのデータフィールドである。
【０１００】
フィールド１６１ｓ（ｐｒｉｖａｔｅ＿ｄａｔａ＿ｌｅｎｇｔｈ）は、ｐｒｉｖａｔｅ＿ｄａｔａ＿ｂｙｔｅのバイト長が設定される８ビットのデータフィールドである。
フィールド１６１ｔ（ｐｒｉｖａｔｅ＿ｄａｔａ＿ｂｙｔｅ）は、ｐｒｉｖａｔｅ＿ｄａｔａ＿ｌｅｎｇｔｈでバイト長が指定されるプライベートデータ領域である。
【０１０１】
フィールド１６１ｕ（ＩＳＯ＿６３９＿ｌａｎｇｕａｇｅ＿ｃｏｄｅ）は、使用されない２４ビットのデータフィールドである。
フィールド１６１ｖ（Ｔｅｘｔ＿ｌｅｎｇｔｈ）は、使用されない８ビットのデータフィールドである。
【０１０２】
フィールド１６１ｗ（ｔｅｘｔ＿ｃｈａｒ）は、使用されない８ビットのデータフィールドである。
【０１０３】
＜動作＞
以上の様に構成されたＣＡＴＶシステムの動作について説明する。ここでは、とりわけ、トランスモジュレーション信号の再送信周波数を変更した場合における告知情報書換処理及び受信周波数探査処理について説明する。
【０１０４】
＜告知情報書換処理＞
図６は、告知情報書換処理を示すフローチャートである。
同図に示されるように、書換部１１４は、ＳＤＴＴを受信したか否かを判定する（ステップＳ１０１）。判定した結果、ＳＤＴＴを受信した場合に限り（ステップＳ１０１：ＹＥＳ）、受信したＳＤＴＴが周波数リスト・変更情報のダウンロード告知用ＳＤＴＴであるか否かを判定する（ステップＳ１０２）。判定した結果、周波数リスト・変更情報のＳＤＴＴである場合には（ステップＳ１０２：ＹＥＳ）、受信したＳＤＴＴを廃棄する（ステップＳ１０３）。否の場合には（ステップＳ１０２：ＮＯ）、受信したＳＤＴＴを再送信する（ステップＳ１０４）。
【０１０５】
続いて、再送信周波数の変更等が発生したか否かを判定し（ステップＳ１０５）。判定した結果、再送信周波数の変更等が発生した場合に限り（ステップＳ１０５：ＹＥＳ）、スキャン告知用ＳＤＴＴを作成し（ステップＳ１０６）、作成したスキャン告知用ＳＤＴＴのバージョン番号（ｖｅｒｓｉｏｎ＿ｎｕｍｂｅｒ）を更新する（ステップＳ１０７）。
【０１０６】
続いて、スキャン告知用ＳＤＴＴを送信してから３分以上経過したか否かを判定する（ステップＳ１０８）。判定した結果、３分以上経過している場合に限り（ステップＳ１０８：Ｙｅｓ）、作成したスキャン告知用ＳＤＴＴを送信する（ステップＳ１０９）。
【０１０７】
そして、再び、ＳＤＴＴを受信したか否かを判定する（ステップＳ１０１）。
また、スキャン告知用ＳＤＴＴには、受信装置１０４においてスキャンを開始できる日時が設定される。受信装置１０４は、指定された日時以降にスキャンを実施する。これにより、再送信周波数の変更等が行われたトランスモジュレーション信号を捕捉して、受信装置１０４の内部のサービスリスト（受信可能周波数テーブル）を更新する。
【０１０８】
なお、スキャン告知用ＳＤＴＴの送出周期は、一例として、３分に１回としたが、これに制限されない。
【０１０９】
＜受信周波数探査処理＞
図７は、受信周波数探査処理を示すフローチャートである。
【０１１０】
同図に示されるように、探査部１４６は、スキャン告知用ＳＤＴＴを受け取ったか否かを判定する（ステップＳ１２１）。判定した結果、スキャン告知用ＳＤＴＴを受け取った場合には（ステップＳ１２１：ＹＥＳ）、受け取ったスキャン告知用ＳＤＴＴが新規か否かを判定する（ステップＳ１２２）。判定した結果、新規である場合には（ステップＳ１２２：ＹＥＳ）、受け取ったスキャン告知用ＳＤＴＴをスキャン告知用ＳＤＴＴ保持部１４７に格納する（ステップＳ１２３）。
【０１１１】
一方、受け取ったスキャン告知用ＳＤＴＴが新規でない場合には（ステップＳ１２２：ＮＯ）、スキャン告知用ＳＤＴＴ保持部１４７において保持されているスキャン告知用ＳＤＴＴに含まれるバージョン番号と、受け取ったスキャン告知用ＳＤＴＴに含まれるバージョン番号とから、バージョン番号が更新されているか否かを判定する（ステップＳ１２４）。判定した結果、更新されている場合には（ステップＳ１２４：ＹＥＳ）、受け取ったスキャン告知用ＳＤＴＴをスキャン告知用ＳＤＴＴ保持部１４７に格納する（ステップＳ１２３）。
【０１１２】
一方、スキャン告知用ＳＤＴＴを受け取らなかった場合には（ステップＳ１２１：ＮＯ）、スキャン告知用ＳＤＴＴ保持部１４７に格納されているスキャン告知用ＳＤＴＴを使用してスキャンが実施されていないか否かを判定する（ステップＳ１２５）。判定した結果、スキャンが実施されている場合には（ステップＳ１２５：ＮＯ）、再び、スキャン告知用ＳＤＴＴを受け取ったか否かを判定する（ステップＳ１２１）。スキャンが実施されていない場合には（ステップＳ１２５：ＹＥＳ）スキャン告知用ＳＤＴＴ保持部１４７において保持されているスキャン告知用ＳＤＴＴに含まれるスキャン開始可能時間と、計時部１４８から通知されたローカルタイムとから、スキャン開始可能時間以降か否かを判定する（ステップＳ１２６）。判定した結果、スキャン開始可能時間以降の場合には（ステップＳ１２６：ＹＥＳ）、スキャンを実施する（ステップＳ１２７）。スキャンを実施して、新規に受信周波数を発見した場合に限り（ステップＳ１２８：ＹＥＳ）、受信設定に登録する（ステップＳ１２９）。
【０１１３】
そして、再び、スキャン告知用ＳＤＴＴを受け取ったか否かを判定する（ステップＳ１２１）。
なお、周波数リスト・変更情報のダウンロードを試みて、ダウンロードができた場合には、ダウンロードした周波数リスト・変更情報に基づいて、受信設定を自動的に再設定するか、又は加入者に告知後、加入者の指示に従い再設定する。そして、ダウンロードができなかった場合には、スキャンして得られた結果、すなわち、受信可能な再送信周波数に基づいて、受信設定を自動的に再設定するか、又は加入者に告知後、加入者の指示に従い再設定するとしてもよい。
【０１１４】
以上、説明したように、実施の形態１におけるＣＡＴＶシステム１００によって、トランスモジュレーション方式で再送信される場合において、再送信するにあたっての伝送周波数がデジタル有線テレビジョン放送局側で変更された場合、新たに開局された放送局から再送信が開始された場合でも、加入者の手間をかけずに、ＳＴＢの受信設定を再設定、自動更新することができる。
【０１１５】
（実施の形態２）
次に、本発明の実施の形態２について、図面を参照しながら説明する。なお、実施の形態１と同一の構成については説明を省略する。
【０１１６】
＜実施の形態２における概要＞
実施の形態２におけるＣＡＴＶシステムは、実施の形態１におけるＣＡＴＶシステム１００と比べると、ヘッドエンドを共用する点が異なる。なお、共用ヘッドエンドの環境下における複数のデジタル有線テレビジョン放送局の機器（例えば、ヘッドエンド等。）はＭＳＯ（Ｍｕｌｔｉｐｌｅ  Ｓｙｓｔｅｍ  Ｏｐｅｒａｔｏｒ）によって運用されているものとする。
【０１１７】
「ＭＳＯ」とは、分散したデジタル有線テレビジョン放送局を相互接続し、一括して管理・運営する事業形態をいう。
図８は、共用ヘッドエンド環境下におけるヘッドエンドから送出されるスキャン告知用ＳＤＴＴの概要を示す図である。
【０１１８】
同図に示されるように、信号配信局とするデジタル有線テレビジョン放送局のＣＡＴＶシステム２００ａと、参加局とするデジタル有線テレビジョン放送局のＣＡＴＶシステム２００ｂ、２００ｃによって、共用ヘッドエンド環境が形成されている。また、信号配信局のＣＡＴＶシステム２００ａにおけるトランスレートモジュレーション（以下、ＴＭと呼称する。）２１及びＴＭ２２は、”ｇｒｏｕｐ＿ｉｄ＝０ｘ０”のスキャン告知用ＳＤＴＴを送出する。さらに、参加局のＣＡＴＶシステム２００ｂにおけるＴＭ２３、又は参加局のＣＡＴＶシステム２００ｃにおけるＴＭ２４は、”ｇｒｏｕｐ＿ｉｄ＝０ｘ１”のスキャン告知用ＳＤＴＴを送出する。すなわち、共用ヘッドエンド環境下においては、信号配信局と参加局とのそれぞれが独立して、スキャン告知用ＳＤＴＴを運用できるように、ｇｒｏｕｐ＿ｉｄが使用される。
【０１１９】
例えば、信号配信局のＣＡＴＶシステム２００ａから送出されるスキャン告知用ＳＤＴＴ（以下、信号配信局用ＳＤＴＴと呼称する。）と、参加局のＣＡＴＶシステム２００ｂ、２００ｃから送出されるスキャン告知用ＳＤＴＴ（以下、参加局用ＳＤＴＴと呼称する。）との２種類のスキャン告知用ＳＤＴＴを用意し、デジタル有線テレビジョン放送局の運用に合わせて２種類のうちいずれかのスキャン告知用ＳＤＴＴを送出する。
【０１２０】
図９は、実施の形態２における再送信装置の構成を示す機能ブロック図である。
同図に示されるように、再送信装置２０１は、実施の形態１における再送信装置１０１（図２を参照。）と比べると、書換部１１４の代わりに書換部２１４を備える点が異なる。
【０１２１】
書換部２１４は、再送信装置２０１が設置された個所に割り当てられた識別子（以下、設置個所識別子と呼称する。）をスキャン告知用ＳＤＴＴ（図４を参照。）に設定する。
なお、設置個所識別子は、地域毎に割り当てられた地域コードのような物理的な設置個所を示す識別子としてもよいし、信号配信局と参加局等のような論理的な設置個所を示す識別子としてもよい。
【０１２２】
図１０は、実施の形態２における受信装置の構成を示す機能ブロック図である。
同図に示されるように、受信装置２０４は、実施の形態１における受信装置１０４（図３を参照。）と比べると、探査部１４６の代わりに探査部２４６を備える点が異なる。
【０１２３】
探査部２４６は、設置個所識別子毎にスキャン告知用ＳＤＴＴを管理する。
これに伴い、スキャン告知用ＳＤＴＴ保持部１４７は、設置個所識別子毎にスキャン告知用ＳＤＴＴを保持する。
【０１２４】
なお、スキャン告知用ＳＤＴＴを送出する場合には、デジタル有線テレビジョン放送局において再送信される全てのＴＳに同一のＳＤＴＴを含めて送出する。ただし、共通ヘッドエンド（信号配信局）においては、信号配信局用ＳＤＴＴ、及び参加局用ＳＤＴＴの双方をそれぞれ送出するとしてもよい。
【０１２５】
以上、説明したように、実施の形態２におけるＣＡＴＶシステムによって、スキャン告知用ＳＤＴＴが設置個所毎に管理できるため、各設置個所の間に、再送信周波数を変更したことを伝える双方向の通信回線を用意する必要がなくなる。
【０１２６】
例えば、ＭＳＯにおいては、再送信装置の設置個所は複数になることがある。そして、複数ある再送信装置のいずれかにおいて再送信周波数を変更した場合には、全ての再送信装置において書換部２１４がスキャン告知用ＳＤＴＴに設定されているバージョン番号等を更新する必要がある。しかし、実施の形態２におけるＣＡＴＶシステムによって、各設置個所の間で再送信周波数を変更したことを伝える双方向の通信回線が必要ではなくなる。
【０１２７】
なお、通常、ＳＤＴＴのフィールド１５１ｍ（ｇｒｏｕｐ）は”０ｘ０”とする。
なお、受信装置２０４は、最大２つのＳＤＴＴを管理する。
なお、設置個所識別子は、スキャン告知用ＳＤＴＴ１５０のフィールド１５１ｍ（ｇｒｏｕｐ）以外に、ダンロードコンテンツ記述子１６０のフィールド１６１ｏ（ｍｏｄｕｌｅ＿ｉｄ）に設定されるとしてもよい。
【０１２８】
（実施の形態３）
次に、本発明の実施の形態３について、図面を参照しながら説明する。なお、実施の形態１と同一の構成については説明を省略する。
【０１２９】
実施の形態３におけるＣＡＴＶシステムは、実施の形態１におけるＣＡＴＶシステム１００と比べると、再送信されなくなったトランスモジュレーション信号の受信周波数を受信設定から自動的に削除する点が異なる。
【０１３０】
図１１は、実施の形態３における再送信装置の構成を示す機能ブロック図である。
同図に示されるように、再送信装置３０１は、実施の形態１における再送信装置１０１と比べると、書換部１１４の代わりに、書換部３１４を備える点が異なる。
【０１３１】
書換部３１４は、再送信されなくなった又は再送信されなくなる地上デジタルテレビジョン放送が特定される識別子をスキャン告知用ＳＤＴＴに設定する。一例として、スキャン告知用ＳＤＴＴによって伝送されるダウンロードコンテンツ記述子のフィールド１６１ｔ（ｐｒｉｖａｔｅ＿ｄａｔａ＿ｂｙｔｅ）を２バイトづつ使用し、再送信されなくなった又は再送信されなくなる地上デジタルテレビジョン放送が特定される識別子であるｏｒｉｇｉｎａｌ＿ｎｅｔｗｏｒｋ＿ｉｄを順にならべて設定する。
【０１３２】
図１２は、実施の形態３における受信装置の構成を示す機能ブロック図である。
同図に示されるように、受信装置３０４は、実施の形態１における受信装置１０４と比べると、探査部１４６の代わりに探査部３４６を備える点が異なる。
【０１３３】
探査部３４６は、スキャン告知用ＳＤＴＴ（図４を参照。）のエリア１５１ｗ（ｄｅｓｃｒｉｐｔｏｒｓ（））に含まれるダウンロードコンテンツ記述子１６０（図５を参照。）のフィールド１６１ｔ（ｐｒｉｖａｔｅ＿ｄａｔａ＿ｂｙｔｅ）、すなわち、プライベートデータ領域に、地上デジタルテレビジョン放送が特定される識別子が設定されている場合には、その識別子によって特定されるトランスモジュレーション信号の受信周波数を受信設定から削除する。
【０１３４】
なお、スキャン告知用ＳＤＴＴに設定される情報として、再送信されなくなったデジタル放送の識別子の代わりに、再送信されなくなったトランスモジュレーション信号の再送信周波数としてもよい。また、再送信されているデジタル放送の識別子、又は再送信周波数を用いることによっても排他的に同様な効果が得られることは言うまでもない。
【０１３５】
以上、説明したように実施の形態３におけるＣＡＴＶシステムによって、再送信装置３０１は、スキャン告知用ＳＤＴＴを利用して、再送信されなくなった又は再送信されなくなる地上デジタルテレビジョン放送を受信装置３０４に通知する。
【０１３６】
これに伴い、受信装置３０４は、再送信されなくなった地上デジタルテレビジョン放送の受信周波数を受信設定から自動的に削除することができる。
【０１３７】
＜その他＞
なお、再送信装置又は受信装置の１乃至２以上の機能ブロックは、例えば、組み込み機器等のような一般のハードウェアシステムにおいて実行されるソフトウェアプログラムによって実現されるとしてもよい。また、当該ソフトウェアプログラムを、光学記録媒体（例えば、ＣＤ−ＲＯＭ等。）、磁気記録媒体（例えば、ハードディスク等。）、光磁気記録媒体（例えば、ＭＯ等。）、半導体メモリ（例えば、ＲＯＭ等。）等の組み込み機器読み取り可能な記録媒体に記録しておき、他の組み込み機器において実行されるとしてもよい。または、ネットワークを介して接続されている組み込み機器等の一般のハードウェアシステムに設けられたハードディスク等の組み込み機器読み取り可能な記録媒体に記録しておき、ネットワーク等の伝送路を経由して読み取った他の組み込み機器において実行されるとしてもよい。または、組み込み機器を制御するソフトウェアプログラムを開発するコンピュータにおいて実行されるとしてもよい。
【０１３８】
なお、再送信装置又は受信装置の１乃至２以上の機能ブロックは、フルカスタムＬＳＩ（Ｌａｒｇｅ  Ｓｃａｌｅ  Ｉｎｔｅｇｒａｔｉｏｎ）として実現されるとしてもよいし、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなセミカスタムＬＳＩとして実現されるとしてもよい。また、ＶＨＤＬ（Ｖｅｒｙ  ｈｉｇｈ  ｓｐｅｅｄ  ｉｎｔｅｇｒａｔｅｄ  ｃｉｒｃｕｉｔ  Ｈａｒｄｗａｒｅ  Ｄｅｓｃｒｉｐｔｉｏｎ  Ｌａｎｇｕａｇｅ）／Ｖｅｒｉｌｏｇ−ＨＤＬ／ＳｙｓｔｅｍＣ等のハードウェア記述言語によって記述されたプログラム（以下、ＨＤＬプログラムと呼称する。）から論理合成されて配置配線された回路情報、又はＩＰ（Ｉｎｔｅｌｌｅｃｔｕａｌ  Ｐｒｏｐｅｒｔｙ）コアに基づいたＦＰＧＡ（Ｆｉｅｌｄ  Ｐｒｏｇｒａｍｍａｂｌｅ  Ｇａｔｅ  Ａｒｒａｙ）／ＣＰＬＤ（Ｃｏｍｐｌｅｘ  Ｐｒｏｇｒａｍｍａｂｌｅ  Ｌｏｇｉｃ  Ｄｅｖｉｃｅ）等のプログラマブル・ロジック・デバイス又は動的に回路構成が書き換え可能なダイナミック・リコンフィギュラブル・デバイスとして実現されるとしてもよい。また、ＨＤＬプログラム、回路情報、又はＩＰコアを、光学記録媒体（例えば、ＣＤ−ＲＯＭ等。）、磁気記録媒体（例えば、ハードディスク等。）、光磁気記録媒体（例えば、ＭＯ等。）、半導体メモリ（例えば、ＲＯＭ等。）等のコンピュータ読み取り可能な記録媒体に記録しておき、他のコンピュータにおいて、ダウンロードケーブルを介して、プログラマブル・ロジック・デバイスにダウンロードされるとしてもよい。または、ネットワークを介して接続されているコンピュータ等の一般のハードウェアシステムに設けられたハードディスク等のコンピュータ読み取り可能な記録媒体にＨＤＬプログラム、回路情報、又はＩＰコアを記録しておき、ネットワーク等の伝送路を経由して読み取った他のコンピュータにおいて、ダウンロードケーブルを介して、プログラマブル・ロジック・デバイスにダウンロードされるとしてもよい。または、ＨＤＬプログラムから論理合成されて配置配線された回路情報、又はＩＰコアをシリアルＲＯＭに記録しておき、ＦＰＧＡに直接、ダウンロードされるとしてもよい。
【産業上の利用可能性】
【０１３９】
本発明は、デジタル放送を再送信する再送信装置と、再送信されたデジタル放送を受信する受信装置と、これらを備えるデジタル放送システム等として、特に、デジタル放送の再送信周波数の変更等が告知される告知情報を流用して受信装置に通知をする再送信装置と、前記通知により正しく受信可能な再送信周波数を取得して加入者の手間をかけずに受信設定を再設定、又は自動更新する受信装置と、これらを備えるデジタル放送システム等として、利用することができる。
【図面の簡単な説明】
【０１４０】
【図１】本発明の実施の形態１におけるＣＡＴＶシステムの構成を示す概要図である。
【図２】実施の形態１における再送信装置の構成を示す機能ブロック図である。
【図３】実施の形態１における受信装置の構成を示す機能ブロック図である。
【図４】ダウンロード告知情報のデータ構造に係るテーブルを示す図である。
【図５】ダウンロードコンテンツ記述子のデータ構造に係るテーブルを示す図である。
【図６】告知情報書換処理を示すフローチャートである。
【図７】受信周波数探査処理を示すフローチャートである。
【図８】共用ヘッドエンド環境下におけるヘッドエンドから送出されるスキャン告知用ＳＤＴＴの概要を示す図である。
【図９】実施の形態２における再送信装置の構成を示す機能ブロック図である。
【図１０】実施の形態２における受信装置の構成を示す機能ブロック図である。
【図１１】実施の形態３における再送信装置の構成を示す機能ブロック図である。
【図１２】実施の形態３における受信装置の構成を示す機能ブロック図である。
【符号の説明】
【０１４１】
２１〜２４  ＴＭ
１００  ＣＡＴＶシステム
１０１，２０１，３０１  再送信装置
１０２  混合部
１０３  ＣＡＴＶ網
１０４，２０４，３０４  受信装置
１１１  スキャン告知用ＳＤＴＴ保持部
１１２  計時部
１１３  復調部
１１４，２１４，３１４  書換部
１１５  多重化部
１１６  変調部
１１７  再送信周波数情報保持部
１４１  受信設定保持部
１４２  受信部
１４３  復調部
１４４  再生部
１４５  検出部
１４６，２４６，３４６  探査部
１４７  スキャン告知用ＳＤＴＴ保持部
１４８  計時部
【図１】
2005073238.tif 000003
【図２】
2005073238.tif 000004
【図３】
2005073238.tif 000005
【図４】
2005073238.tif 000006
【図５】
2005073238.tif 000007
【図６】
2005073238.tif 000008
【図７】
2005073238.tif 000009
【図８】
2005073238.tif 000010
【図９】
2005073238.tif 000011
【図１０】
2005073238.tif 000012
【図１１】
2005073238.tif 000013
【図１２】
2005073238.tif 000014